(57)【要約】【課題】  作業性に優れ、大口径の貫通孔へも容易に適用することが可能な防火部材等を提供する。【解決手段】  防火部材１は、主に、耐火材３、熱膨張部材５、袋体９、弾性部材７等から構成される。耐火材３は、圧縮変形可能な部材である。耐火材３は、袋体９に封入される。十分にサイズの大きな袋体９に耐火材３を挿入し、袋体９の内部を減圧した状態で封入する。袋体９は、ポリ袋などの気密性を有する部材であり、ヒートシールなどにより密封することが可能である。このようにすることで、耐火材３が圧縮されて潰れた状態となる。袋体９の一方の外面には、熱膨張部材５が設けられる。この状態で、袋体９に穴をあけると、袋体９の内部に空気が導入され、耐火材３を膨張させることが可能である。【選択図】図１
2019216852.tif 000002
【特許請求の範囲】
【請求項１】
圧縮変形可能な耐火材と、
前記耐火材が封入される袋体と、
前記袋体の一方の外面または内面に配置される熱膨張部材と、
を具備し、前記袋体は、内部が減圧され、前記耐火材が圧縮変形しており、前記袋体に穴をあけて、前記袋体の内部に空気を導入することで、前記耐火材を膨張させることが可能であることを特徴とする防火部材。
【請求項２】
前記袋体の前記熱膨張部材とは逆側の外面に、板状の弾性部材が配置されることを特徴とする請求項１記載の防火部材。
【請求項３】
前記弾性部材の少なくとも一方の辺において、前記袋体及び前記熱膨張部材がはみ出していることを特徴とする請求項２記載の防火部材。
【請求項４】
前記弾性部材の少なくとも一方の辺が折曲げられていることを特徴とする請求項３記載の防火部材。
【請求項５】
前記熱膨張部材の表面に、発泡体が配置されることを特徴とする請求項１から請求項４のいずれかに記載の防火部材。
【請求項６】
防火部材を用いた防火構造体の施工方法であって、
前記防火部材は、圧縮変形可能な耐火材と、前記耐火材が封入される袋体と、前記袋体の一方の外面または内面に配置される熱膨張部材と、を具備し、前記袋体は、内部が減圧され、前記耐火材が圧縮変形しており、
前記防火部材を、前記熱膨張部材を内面側にして区画部に形成された貫通孔に配置する工程と、
前記防火部材の前記袋体に穴をあけて、前記袋体の内部に空気を導入することで、前記耐火材を膨張させ、前記貫通孔に挿通された長尺体の外面に前記熱膨張部材を押し付ける工程と、
を具備することを特徴とする防火構造体の施工方法。
【請求項７】
前記袋体の前記熱膨張部材とは逆側の外面に、板状の弾性部材が配置されており、前記弾性部材を丸めて前記貫通孔に挿通し、前記弾性部材の復元力で、前記防火部材が前記貫通孔の内面側に押し付けられることを特徴とする請求項６記載の防火構造体の施工方法。
【請求項８】
防火部材を用いた防火構造体であって、
前記防火部材は、圧縮変形可能な耐火材と、前記耐火材が収容される袋体と、前記袋体の一方の外面または内面に配置される熱膨張部材と、前記袋体の前記熱膨張部材とは逆側の外面に配置された板状の弾性部材と、を具備し、
区画部に形成された貫通孔に長尺体が挿通されており、
前記長尺体の外周に、前記防火部材が丸められて配置され、前記弾性部材の復元力で、前記防火部材が前記貫通孔の内面側に押し付けられるとともに、前記長尺体の外面に前記熱膨張部材が押し付けられることを特徴とする防火構造体。
【発明の詳細な説明】
【技術分野】
【０００１】
本発明は、例えば、配管やケーブルなどの区画部への貫通部に対して防火性能を確保するための防火部材等に関するものである。
【背景技術】
【０００２】
建造物等において、区画部で区画された各部屋に配管やケーブル（以下、単に長尺体と称する場合がある）が敷設される場合がある。この場合、例えば一方の部屋で火災が発生すると、長尺体を伝って、火災が建造物全体に広がり、甚大な被害をもたらすおそれがある。
【０００３】
このような区画部を貫通する長尺体の防火構造としては、例えば、熱膨張性部材をカバー体で覆った耐火処理材を、配線・配管材の貫通部に複数配置して、貫通部を閉鎖する方法がある（例えば、特許文献１）。
【０００４】
また、略筒状の本体部の内面に熱膨張部材を設け、熱膨張部材を覆うように弾性体を設けた耐火部材がある（例えば、特許文献２）。
【先行技術文献】
【特許文献】
【０００５】
【特許文献１】特開２０１５−１９８５３号公報
【特許文献２】特開２０１６−１１２３４５号公報
【発明の概要】
【発明が解決しようとする課題】
【０００６】
しかし、特許文献１の方法では、使用する部材も多く、施工時間が長くなるという問題がある。また、作業者の技量によって施工ミスも生じやすい。例えば、貫通孔からの耐火処理材のはみ出しがなく、貫通孔に隙間なく耐火処理材を配置することは困難である。
【０００７】
また、特許文献２の方法は、極めて短時間で施工することが可能であり、作業者の特殊な技量も不要であるが、長尺部材と貫通孔との隙間が大きい場合などにおいて、熱膨張部材の性能上、膨張した熱膨張部材が脱落しやすくなり、例えば大口径の貫通孔への適用が困難な場合がある。
【０００８】
本発明は、このような問題に鑑みてなされたもので、作業性に優れ、大口径の貫通孔へも容易に適用することが可能な防火部材等を提供することを目的とする。
【課題を解決するための手段】
【０００９】
前述した目的を達成するため、第１の発明は、圧縮変形可能な耐火材と、前記耐火材が封入される袋体と、前記袋体の一方の外面または内面に配置される熱膨張部材と、を具備し、前記袋体は、内部が減圧され、前記耐火材が圧縮変形しており、前記袋体に穴をあけて、前記袋体の内部に空気を導入することで、前記耐火材を膨張させることが可能であることを特徴とする防火部材である。
【００１０】
前記袋体の前記熱膨張部材とは逆側の外面に、板状の弾性部材が配置されることが望ましい。
【００１１】
前記弾性部材の少なくとも一方の辺において、前記袋体及び前記熱膨張部材がはみ出していてもよい。
【００１２】
前記弾性部材の少なくとも一方の辺が折曲げられていてもよい。
【００１３】
前記熱膨張部材の表面に、発泡体が配置されてもよい。
【００１４】
第１の発明によれば、減圧状態の防火部材を用いるため、運搬時においてもかさばることがなく、また、軽量であるため作業性も良好である。また、長尺体の周りに配置して袋体に穴をあけるのみであるため、特殊な工具も不要であり、容易に貫通孔と長尺体との隙間を埋めることができる。また、減圧による圧縮状態からの復元量を調整することで、大口径の貫通孔に対しても適用が可能である。
【００１５】
また、袋体の外面に板状の弾性部材を配置することで、防火部材を丸めて貫通孔に挿入した際に、弾性部材の復元力によって防火部材を貫通孔の内面に押し付けた状態とすることができる。このため、貫通孔に対して、防火部材を容易に保持することができる。また、防火部材の径が広がるため、設置作業の際に、内面側の熱膨張部材と長尺体とが接触することを抑制し、防火部材を貫通孔に容易に配置することができる。
【００１６】
また、弾性部材の少なくとも一方の辺において、熱膨張部材等がはみ出すようにすることで、例えば、弾性部材の端部同士を突き合せて円形にし、貫通孔に配置した際、熱膨張部材同士及び耐火材同士の間に隙間が形成されることを抑制することができる。
【００１７】
また、弾性部材の少なくとも一方の辺が折曲げられていれば、弾性部材の剛性が高くなり、潰れ等の変形を抑制することができる。
【００１８】
また、熱膨張部材の表面に発泡体を配置することで、設置作業の際に、内面側の熱膨張部材と長尺体とが接触することを抑制し、防火部材を貫通孔に容易に配置することができる。また、例えば複数の長尺体を配置した場合など、長尺体同士の間に形成される外形の凹凸に対しても容易に追従し、隙間を埋めることができる。
【００１９】
第２の発明は、防火部材を用いた防火構造体の施工方法であって、前記防火部材は、圧縮変形可能な耐火材と、前記耐火材が封入される袋体と、前記袋体の一方の外面または内面に配置される熱膨張部材と、を具備し、前記袋体は、内部が減圧され、前記耐火材が圧縮変形しており、前記防火部材を、前記熱膨張部材を内面側にして区画部に形成された貫通孔に配置する工程と、前記防火部材の前記袋体に穴をあけて、前記袋体の内部に空気を導入することで、前記耐火材を膨張させ、前記貫通孔に挿通された長尺体の外面に前記熱膨張部材を押し付ける工程と、を具備することを特徴とする防火構造体の施工方法である。
【００２０】
前記袋体の前記熱膨張部材とは逆側の外面に、板状の弾性部材が配置されており、前記弾性部材を丸めて前記貫通孔に挿通し、前記弾性部材の復元力で、前記防火部材が前記貫通孔の内面側に押し付けられることが望ましい。
【００２１】
第２の発明によれば、防火部材を貫通孔に丸めて配置した後に、袋体に穴をあけるだけで耐火材を膨張させて、長尺体と貫通孔との隙間を確実に埋めることができる。
【００２２】
また、袋体の外面に板状の弾性部材を配置することで、設置作業の際に、内面側の熱膨張部材と長尺体とが接触することを抑制し、貫通孔に対して防火部材を容易に配置することができる。
【００２３】
第３の発明は、防火部材を用いた防火構造体であって、前記防火部材は、圧縮変形可能な耐火材と、前記耐火材が収容される袋体と、前記袋体の一方の外面または内面に配置される熱膨張部材と、前記袋体の前記熱膨張部材とは逆側の外面に配置された板状の弾性部材と、を具備し、区画部に形成された貫通孔に長尺体が挿通されており、前記長尺体の外周に、前記防火部材が丸められて配置され、前記弾性部材の復元力で、前記防火部材が前記貫通孔の内面側に押し付けられるとともに、前記長尺体の外面に前記熱膨張部材が押し付けられることを特徴とする防火構造体である。
【００２４】
第３の発明によれば、板部材がスリーブとしても機能するため、確実に貫通孔に防火部材を配置した状態で保持することができる。
【発明の効果】
【００２５】
本発明によれば、作業性に優れ、大口径の貫通孔へも容易に適用することが可能な防火部材等を提供することができる。
【図面の簡単な説明】
【００２６】
【図１】防火部材１を示す斜視図。
【図２】（ａ）は防火部材１を示す断面図であり、図１のＡ−Ａ線断面図、（ｂ）は耐火材３を膨張させた状態の断面図。
【図３】（ａ）は耐火材３を袋体９に挿入した状態を示す断面図、（ｂ）は減圧した状態を示す断面図。
【図４】防火構造体を施工する工程を示す図。
【図５】防火構造体を施工する工程を示す図で、（ａ）は貫通孔１３の軸方向に平行な断面図、（ｂ）は貫通孔１３の軸方向に垂直な断面図。
【図６】防火構造体２０を示す図。
【図７】防火構造体２０を示す図で、（ａ）は貫通孔１３の軸方向に平行な断面図、（ｂ）は貫通孔１３の軸方向に垂直な断面図。
【図８】防火部材１ａを設置した状態を示す図。
【図９】防火部材１ｂを示す図。
【図１０】（ａ）は防火部材１ｂを設置した状態を示す図、（ｂ）は防火構造体２０ａを示す図。
【図１１】防火部材１ｃを示す平面図。
【発明を実施するための形態】
【００２７】
以下、本発明の実施の形態を詳細に説明する。図１は、本発明にかかる防火部材１を示す斜視図であり、図２（ａ）は、図１のＡ−Ａ線断面図である。防火部材１は、主に、耐火材３、熱膨張部材５、弾性部材７、袋体９等から構成される。
【００２８】
耐火材３は、圧縮変形可能な部材である。耐火材３としては、例えば、ガラスウールやロックウール等の繊維状であって、体積の多くを空気が占めており、収縮性を有する無機材料の不燃材や、その他の難燃材等を適用可能である。
【００２９】
耐火材３は、袋体９に封入される。図３（ａ）、図３（ｂ）は、耐火材３を袋体９で封入する工程を示す図である。図３（ａ）に示すように、耐火材３は、十分にサイズの大きな袋体９に収容され、袋体９の内部を減圧した状態で封入される。袋体９は、ポリ袋などの気密性を有する部材であり、ヒートシールなどにより密封することが可能である。このようにすることで、耐火材３が圧縮されて潰れた状態となる。なお、熱膨張部材１の保管期間等を考慮すると、封入後１年以上にわたって、元の厚みに戻らない程度の気密性があることが望ましい。
【００３０】
なお、耐火材３が封入される袋体９は、例えば筒状のものが用いられることが望ましい。例えば、筒状の袋体素材が所定の長さで切断され、内部に耐火材３を収容した後、両切断部が封止される。
【００３１】
封止部は、他の部位と比較して剛性があるため、袋体９の形態が変形しにくく、後述する袋体９内部の耐火材３の膨張時に、その膨張の抵抗となる。このため、耐火材３の長手方向の両端部（短辺側）を密封することで、封止部（封止長）を短くすることができる。また、耐火材３の長辺側を密封してもよく、この場合には、丸めた際に、周方向に封止部をなくすことができる。なお、袋体９は、可燃物であってもよい。
【００３２】
袋体９の一方の外面には、熱膨張部材５が設けられる。なお、熱膨張部材５を袋体９の内面であって耐火材３の表面に配置してもよい。熱膨張部材５は、火災時等の熱によって膨張する部材である。熱膨張部材５は、例えば熱膨張性黒鉛のシートであり、表面には必要に応じて粘着シートが設けられる。熱膨張部材５の膨張倍率は、例えば、６０分燃焼試験後に５倍以上であることが望ましい。なお、熱膨張部材５の長手方向の長さと、袋体９に封入された耐火材３の長さは、略同一である。
【００３３】
袋体９の熱膨張部材５とは逆側の外面には、弾性部材７が配置される。弾性部材７は、板状の部材であり、例えば金属製である。弾性部材７としては、例えば、０．３〜０．５ｍｍ程度のばね鋼を適用することができる。弾性部材７の長手方向の長さは、耐火材３が封入された袋体９および熱膨張部材５の長さよりも短い。したがって、弾性部材７の長手方向の少なくとも一方の辺において、袋体９（耐火材３）及び熱膨張部材５がはみ出す。
【００３４】
袋体９に穴をあけると、図２（ｂ）に示すように、袋体９の内部に空気が導入され、耐火材３を膨張させることが可能である。例えば、袋体９の内部に空気を導入することで、封入時の耐火材３の体積を、３〜８倍程度に膨張させることができる。なお、耐火材３の種類や袋体９内の真空度等によって、所望の膨張倍率を得ることができる。
【００３５】
次に、防火部材１を用いた防火構造体の施工方法について説明する。図４は、防火構造体の施工工程を示す図である。なお、以下の図において、袋体９の図示を省略する場合がある。まず、区画部１１に貫通孔１３を形成し、形成された貫通孔１３に長尺体１５を通す。
【００３６】
なお、図示した例では、区画部１１は壁であり、この場合には、ＲＣ造の壁や木造中空壁、石膏ボードによる中空壁等いずれでもよい。また、壁に代えて、床や天井であってもよく、ＲＣ造の床や、ＡＬＣの床など区画部の態様は限定されない。また、長尺体１５は、一本でなくてもよく、複数本であってもよい。
【００３７】
次に、長尺体１５の外周であって、区画部１１に形成された貫通孔１３の内部に、防火部材１を配置する。この際、防火部材１を、熱膨張部材５が内面側となるように丸めて、貫通孔１３内に挿入する。
【００３８】
図５（ａ）は、防火構造体を施工する工程を示す貫通孔の軸方向に平行な断面図であり、図５（ｂ）は貫通孔の軸方向に垂直な断面図である。防火部材１を丸めると、最外周の弾性部材７の復元力によって、防火部材１は、外周方向に広がる方向に元の形態に戻ろうとする。このため、防火部材１を貫通孔１３の内部に配置した際には、防火部材１（弾性部材７）が貫通孔１３の内面側に押し付けられる。このため、設置後の防火部材１の位置ずれや脱落が抑制される。なお、弾性部材７が無くても、耐火材３等によって反発力が十分にあれば、弾性部材７は、必ずしも必要ではない。
【００３９】
また、防火部材１の総厚みは、貫通孔１３の内面と長尺体１５の間のクリアランスよりも薄い。このため、防火部材１の最内層の熱膨張部材５と長尺体１５との間には隙間が形成される。このため、熱膨張部材５は長尺体１５と接触せずに、容易に防火部材１を貫通孔１３に配置することができる。
【００４０】
ここで、貫通孔１３の内周長と弾性部材７の長手方向（貫通孔１３の周方向に対応）の長さはほぼ一致する。このため、防火部材１を貫通孔１３に設置した際に、弾性部材７の両端部同士を突き合せて配置することができる。この際、熱膨張部材５と耐火材３は、弾性部材７よりも長いため、熱膨張部材５と耐火材３の両端部が互いにラップして、両端部の間に隙間が形成されることがない。なお、熱膨張部材５と耐火材３の周方向に隙間が形成されなければ、弾性部材７の端部同士もラップさせてもよく、又は多少の隙間が形成されてもよい。
【００４１】
また、図示したように、弾性部材７の幅（貫通孔１３の軸方向に対応）に対して、熱膨張部材５と耐火材３の幅は狭くてもよい。熱膨張部材５と耐火材３の幅は、必要な防火性能によって設定される。
【００４２】
なお、弾性部材７の幅を区画部１１の厚みに対応させることで、弾性部材７をスリーブとして機能させることができる。例えば、区画部１１が中空壁である場合にも、弾性部材７を丸めて筒状にすることで、スリーブとして使用することができる。なお、この場合には、弾性部材７の周方向の端部同士に隙間が形成されず、筒形状を維持するために、弾性部材７の周方向の両端部に、両者を係合する係合爪等を設けてもよい。
【００４３】
次に、防火部材１の袋体９に穴をあけて、袋体９の内部に空気を導入する。なお、袋体９は、ドライバーなどの通常の工具で容易に穴をあけることができる。これにより、耐火材３の自己弾性回復力によって、体積を膨張させることができる。
【００４４】
図６は、防火部材１を用いた防火構造体２０を示す図で、図７（ａ）は、防火構造体２０を示す貫通孔の軸方向に平行な断面図、図７（ｂ）は貫通孔の軸方向に垂直な断面図である。耐火材３を膨張させることで、貫通孔１３と長尺体１５との隙間を埋め、貫通孔１３に挿通された長尺体１５の外面に熱膨張部材５を押し付けることができる。以上により、区画部１１に形成された貫通孔１３に長尺体１５が挿通され、防火部材１が貫通孔１３の内面側に押し付けられるとともに、長尺体１５の外面に熱膨張部材５が押し付けられた防火構造体２０を得ることができる。
【００４５】
以上説明したように、本実施の形態にかかる防火部材１によれば、貫通孔１３に防火部材１を設置する際には、内面の熱膨張部材５と長尺体１５との干渉がなく、容易に取り付けることができる。また、貫通孔１３へ防火部材１を設置した際には、弾性部材７の復元力によって、防火部材１が貫通孔１３に保持される。このため、防火部材１の位置ずれや脱落を抑制することができ、その後の袋体９の穴あけ作業も容易である。
【００４６】
また、防火部材１を貫通孔１３へ設置した後、袋体９に穴をあけるのみで、長尺体１５との隙間を埋めることができるため、シーリング施工も不要であり、見た目にも優れ、耐火性能も確保することができる。
【００４７】
また、熱膨張部材５を長尺体１５の近傍に配置することができるため、火災等の際にも、確実に熱膨張部材５の膨張によって長尺体１５の燃焼に伴う隙間をうめることができる。このため、大口径の貫通孔にも適用が容易である。
【００４８】
次に、第２の実施形態について説明する。図８は、第２の実施形態にかかる防火部材１ａを用いた例を示す図である。なお、以下の説明において、第１の実施の形態と同一の機能を奏する構成については図１〜図７と同一の符号を付し、重複する説明を省略する。
【００４９】
防火部材１ａは、防火部材１とほぼ同様の構成であるが、弾性部材７の形態が異なる。防火部材１ａでは、弾性部材７の少なくとも一方の辺に折曲げ部１７が形成される。折曲げ部１７は、弾性部材７の幅方向（貫通孔１３の軸方向に対応）の端部が、全体を丸めた際に外側に突出するように折り曲げられて形成される。
【００５０】
以上説明したように、第２の実施の形態によれば、第１の実施形態と同様の効果を得ることができる。また、折曲げ部１７がフランジとして機能するため、防火部材１ａを貫通孔１３に挿通した際の位置決めと脱落防止の効果を得ることができる。
【００５１】
また、折曲げ部１７によって、丸めた際の防火部材１ａの剛性を高めることができるため、防火部材１ａの変形や潰れなどを抑制し、より確実に、防火部材１ａを貫通孔１３の内面に押し付けた状態を得ることができる。
【００５２】
次に、第３の実施形態について説明する。図９は、第３の実施形態にかかる防火部材１ｂを示す図である。防火部材１ｂは、防火部材１とほぼ同様の構成であるが、熱膨張部材５の表面に、発泡体１９が配置される点で異なる。すなわち、防火部材１ｂは、丸めた際に、最内層が発泡体１９となる。
【００５３】
発泡体１９は、耐火材３よりも柔軟性が高く、圧縮変形が容易である。発泡体１９としては、例えばウレタン弾性体であり、難燃性スポンジであることが望ましい。
【００５４】
図１０（ａ）は、防火部材１ｂを貫通孔１３へ設置した状態を示す図である。本実施形態では、貫通孔１３に複数本の長尺体１５が挿通される。なお、複数の長尺体１５が、互いに異なる径であってもよい。
【００５５】
防火部材１ｂを、複数の長尺体１５の外周であって、貫通孔１３の内部に配置すると、防火部材１ｃの総厚みが、貫通孔１３の内面と長尺体１５の間のクリアランスよりも薄いため、発泡体１９と長尺体１５との間に隙間が形成される。このため、容易に防火部材１ｃを貫通孔１３に配置することができる。なお、発泡体１９は、熱膨張部材５と比較して滑りが良いため、仮に長尺体１５と接触したとしても、容易に貫通孔１３へ配置することができる。
【００５６】
図１０（ｂ）は、袋体９に穴をあけて耐火材３を膨張させた防火構造体２０ａを示す図である。前述した各実施形態では、耐火材３の復元力によって、熱膨張部材５を長尺体１５の外周に押し付けて隙間を埋める例を説明した。しかし、複数本の長尺体１５が配置された場合には、長尺体１５全体の外形が単純な丸形状などではなく、長尺体１５同士の間に凹形状が形成される。
【００５７】
熱膨張部材５の変形能力は、耐火材３等の変形能力と比較して小さい。このため、圧縮されていた耐火材３の復元力のみでは、熱膨張部材５を、長尺体１５全体の外形に沿って変形させて、長尺体１５の凹部の隙間を埋めることが困難である場合がある。
【００５８】
これに対し、熱膨張部材５の内面側に、所定の厚みの発泡体１９を配置することで、熱膨張部材５の変形量が足らずに、熱膨張部材５と長尺体１５との間に隙間が形成されても、この隙間を、より変形能力の高い発泡体１９によって埋めることができる。なお、発泡体１９によって、効率よく隙間を埋めるためには、発泡体１９の厚みを、複数の長尺体１５の外接円と凹形状の底部までの距離以上とすることが望ましい。
【００５９】
以上説明したように、第３の実施の形態によれば、第１の実施形態と同様の効果を得ることができる。また、最内層に発泡体１９を配置することで、より確実に、長尺体１５の外周面に防火部材１ｃの内面を密着させて、隙間を埋めることができる。なお、熱膨張部材５と長尺体１５の間に発泡体１９が形成された場合でも、熱膨張部材５が、耐火材３によって外側から押し付けられている状態を、熱膨張部材５が長尺体１５の外面に押し付けられているものとする。
【００６０】
なお、耐火材３の膨張に対する熱膨張部材５の追随性を高める方法としては、例えば、図１１に示す防火部材１ｃのように、熱膨張部材５を長手方向に（貫通孔１３の周方向に対応する）対して複数に分割してもよい。このようにすることで、防火部材１ｃを貫通孔１３に設置した後、袋体９に穴をあけて耐火材３を膨張させた際、熱膨張部材５をより確実に長尺体１５の外面に密着させることができる。
【００６１】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【００６２】
例えば、前述した各実施形態における各構成は、互いに組み合わせることができることは言うまでもない。
【符号の説明】
【００６３】
１、１ａ、１ｂ、１ｃ………防火部材
３………耐火材
５………熱膨張部材
７………弾性部材
９………袋体
１１………区画部
１３………貫通孔
１５………長尺体
１７………折曲げ部
１９………発泡体
２０、２０ａ………防火構造体
【図１】
2019216852.tif 000003
【図２】
2019216852.tif 000004
【図３】
2019216852.tif 000005
【図４】
2019216852.tif 000006
【図５】
2019216852.tif 000007
【図６】
2019216852.tif 000008
【図７】
2019216852.tif 000009
【図８】
2019216852.tif 000010
【図９】
2019216852.tif 000011
【図１０】
2019216852.tif 000012
【図１１】
2019216852.tif 000013